(57)【要約】【課題】着座時でも収納部分を利用可能であり、かつ十分な収納容量を有しながらも、椅子として利用するに耐える十分な強度も持ち合わせた椅子を提供する。【解決手段】座面を有する枠体２からなる椅子１において、枠体２は、平面視横長の短辺と長辺を有する長方形の底板２１と、上部に座面を有し底板２１と同形状の座板２０と、これら底板２１と座板２０との間に固着される椅子１の長手方向における一方側の短辺を閉じる第１壁板３、及び椅子１の中央付近に第１壁板３と平行に配置される第２壁板４、さらに椅子１の長手方向における他方側の両側面に配置される一対の側板５，５とから構成されている。【選択図】図１
2014090860.tif 000002
【特許請求の範囲】
【請求項１】
座面を有する枠体からなる椅子において、前記枠体は、平面視横長の短辺と長辺を有する長方形の底板と、上部に前記座面を有し前記底板と同形状の座板と、これら底板と座板との間に固着される前記椅子の長手方向における一方側の短辺を閉じる第１壁板、及び前記椅子の中央付近に前記第１壁板と平行に配置される第２壁板、さらに前記椅子の長手方向における他方側の両側面に配置される一対の側板とから構成されていることを特徴とする椅子。
【請求項２】
前記第２壁板と前記側板とがそれぞれ一体に接続されていることを特徴とする請求項１に記載の椅子。
【請求項３】
前記椅子は複数個組合わせて並べることができるようになっており、当該組合わせ時に、前記第１壁板と、他の椅子における前記側板の一面とを対向するようにそれぞれ近接させることを特徴とする請求項１または２に記載の椅子。
【請求項４】
前記椅子は４個組合わせて並べることができるようになっており、当該組合わせ時に、前記側板を端部に有する前記枠体の短辺と、他の椅子における前記枠体の長辺とが面一となるように組合せられることを特徴とする請求項３に記載の椅子。
【請求項５】
前記第１壁板と前記側板とが同寸であることを特徴とする請求項１ないし４のいずれかに記載の椅子。
【発明の詳細な説明】
【技術分野】
【０００１】
本発明は、座面を有する枠体からなる椅子に関する。
【背景技術】
【０００２】
従来、略箱形状で上部に開口部を有するキャビネット（枠体）と、前記開口部を開閉自在に覆設される座板とにより構成され、座板を開閉操作することで前記キャビネット内の収納部に鞄などの荷物を収納可能としたスツール（椅子）があり（例えば、特許文献１参照）、近年このようなスツールは机の周囲に複数個配置されてオフィスなどで利用される機会が増えている。
【０００３】
また、上部に座板を有したフレーム構造でワゴン本体を構成され、座板の下方に籠状の収納スペースを設けたものがある（例えば、特許文献２参照）。
【先行技術文献】
【特許文献】
【０００４】
【特許文献１】特開２００８−７９６７８号公報（第４頁、第３図）
【特許文献２】特開２００７−１３５６１６号公報（第４頁、第３図）
【発明の概要】
【発明が解決しようとする課題】
【０００５】
しかしながら、特許文献１にあるような椅子にあっては、収納部にアプローチするには座板を開操作する必要があるため、利用者は着座したまま収納部を利用することができず不便であった。また、特許文献２にあるような椅子にあっては、フレーム構造であるため座板を開操作しないで収納部にアプローチできるものの、椅子が１座席分であることから、その下方の収納スペースの収納容量が十分で無いという問題があった。
【０００６】
本発明は、このような問題点に着目してなされたもので、着座時でも収納部分を利用可能であり、かつ十分な収納容量を有しながらも、椅子として利用するに耐える十分な強度も持ち合わせた椅子を提供することを目的とする。
【課題を解決するための手段】
【０００７】
前記課題を解決するために、本発明の椅子は、
座面を有する枠体からなる椅子において、前記枠体は、平面視横長の短辺と長辺を有する長方形の底板と、上部に前記座面を有し前記底板と同形状の座板と、これら底板と座板との間に固着される前記椅子の長手方向における一方側の短辺を閉じる第１壁板、及び前記椅子の中央付近に前記第１壁板と平行に配置される第２壁板、さらに前記椅子の長手方向における他方側の両側面に配置される一対の側板とから構成されていることを特徴としている。
この特徴によれば、第１壁板と第２壁板と底板及び座板により椅子を短手方向に貫通する第１の収納部が形成されるとともに、第２壁板と両側板と底板及び座板により椅子の長手方向における一方端部に開口を設けた第２の収納部を形成できるため、着座時でも両収納部を利用可能であり、かつ第１壁板と第２壁板及び側板の厚み以外の空間を全て荷物を収容可能な収納部屋及び収納部とすることができるので収納効率が高く、また椅子の中央付近に配置された第２壁板と両側板にかけて座板の中央部付近が強固に支持されて、椅子として利用するに耐える十分な強度を備えることができる。
【０００８】
本発明の椅子は、
前記第２壁板と前記側板とがそれぞれ一体に接続されていることを特徴としている。
この特徴によれば、第２壁板と両側板とが一体の平面視コ字状に形成されるため、座板が長手方向に比較的長くとも、その両端に角部を有して強度を高められた第２壁板が枠体の長手方向における略中央付近に固着されることから、着座時における座板及び底板の撓みを効果的に抑制することができる。
【０００９】
本発明の椅子は、
前記椅子は複数個組合わせて並べることができるようになっており、当該組合わせ時に、前記第１壁板と、他の椅子における前記側板の一面とを対向するようにそれぞれ近接させることを特徴としている。
この特徴によれば、椅子の組合わせ時に、第１壁板を有する面を、他の椅子における側板の一面に対向するようにそれぞれ近接させることで、椅子の組合わせ時においても、その収納部を全て利用可能である。
【００１０】
本発明の椅子は、
前記椅子は４個組合わせて並べることができるようになっており、当該組合わせ時に、前記側板を端部に有する前記枠体の短辺と、他の椅子における前記枠体の長辺とが面一となるように組合せられることを特徴としている。
この特徴によれば、側板を端部に有する枠体の短辺と、他の椅子における枠体の長辺とが面一となるように４つの椅子がそれぞれ組合せられることで、前記収納部の開口の横に収納部屋の開口が並ぶように配置されるため、椅子の組合わせ時においてもその収納部を全て利用可能である。また、組合わせ時の椅子の平面視における全体形状が略正方形となり美観に優れる。
【００１１】
本発明の椅子は、
前記第１壁板と前記側板とが同寸であることを特徴としている。
この特徴によれば、椅子の組合わせ時に収納部の開口の延長線に他の椅子の第１壁板が貼り出さないため、全ての収納部へのアプローチが阻害されることがなく収納部の利用が容易であるばかりか、対向する椅子の開口部がそれぞれ直線上に配置されるため、美観に優れる。
【図面の簡単な説明】
【００１２】
【図１】実施例における椅子を示す斜視図である。
【図２】（ａ）は、椅子を示す正面図であり、（ｂ）は、同じく側面図である。
【図３】図２（ｂ）のＸ−Ｘ断面図である。
【図４】椅子の使用例を示す平面断面図である。
【図５】椅子の組合せを示す側面図である。
【図６】図５と同じく平面断面図である。
【図７】椅子を４つ組合せた場合を示す平面断面図である。
【図８】（ａ），（ｂ）は、椅子の変形例を示す平面断面図である。
【図９】（ａ），（ｂ）は、椅子の別の変形例を示す平面断面図である。
【発明を実施するための形態】
【００１３】
本発明に係る椅子を実施するための形態を実施例に基づいて以下に説明する。
【実施例】
【００１４】
図１の符号１は、本発明の適用された主にオフィス等で使用される椅子であり、図示しないが主に机とともに利用されることが一般的である。
【００１５】
椅子１は、直方体の枠体２と、枠体２の上面にボルト等により固着された座面であるクッション部１５とから主に構成されており、後述する枠体２の下板２ｂの四隅にそれぞれ設けられたキャスタ５０，５０，…により床面を滑らかに移動自在となっている。尚、クッション部１５は座り心地を向上させるために用いられるだけであるため、必ずしも必要ではない。
【００１６】
図１から図３に示されるように、枠体２は座板２０と底板２１との間に、当該枠体２の長手方向における一方側の短辺を閉じる第１壁板３と、枠体２の長手方向の中央付近に第１壁板３と平行に配置される第２壁板４と、さらに枠体２の長辺の一部をそれぞれ閉じる一対の側板５，５をそれぞれ挟み込んで構成されており、これらは図示しないボルトや接着剤などによりそれぞれ固着されている。
【００１７】
詳しくは、第２壁板４と対向する２枚の側板５，５とは、第２壁板４の端部に側板５，５をそれぞれビス等で接続して一体の平面視コ字状に形成されている（図３参照）。また、図１及び図２（ａ）に示されるように、側板５，５は第２壁板４と接続されていない側の端部５ａ，５ａが枠体２の座板２０及び底板２１の長手方向における他方短辺とほぼ面一となるように配置されている。そして、この側板５，５と座板２０及び底板２１により囲われて枠体２の長手方向における他方の短辺側に開口するとともに、第２壁板４によって奥面を閉塞された部屋状の収納部Ａを形成している。尚、第２壁板４と側板５，５とは、近接して配置されていれば一体に接続されなくともよい。
【００１８】
また、第１壁板３は枠体２の長手方向における収納部Ａの開口を有する端部とは反対の端部に配置されており、第１壁板３の内面３ａと第２壁板４の外面４ａと、座板２０及び底板２１により囲われて、枠体２を短手方向に貫通して枠体２の両長辺に開口を有した収納部Ｂが形成されている。
【００１９】
図４に示されるように、収納部Ｂは枠体２の両長辺に有した開口よりアプローチできるため、前後どちらの方向を向いて着座しても荷物の出し入れが可能であるばかりか、収納部Ｂをはみ出すような寸法の荷物であっても収納可能である。また、収納部Ａは第２壁板４によって荷物の落下が防止できるため、小物などを収納するのに適している。
【００２０】
また、第２壁板４と側板５，５とが一体の平面視コ字状に形成されるため、その両端に角部を有して強度を高められた第２壁板４が枠体２の長手方向における略中央付近に固着されることから、着座時における座板２０の撓みを効果的に抑制することができ、椅子としての使用に十分耐えうる枠体２の強度となっている。
【００２１】
また、収納部Ａと収納部Ｂへのアプローチ方向が異なることから、利用者は収納する荷物の種類によって直感的に分類して収納することができ、分類作業の効率がよい。
【００２２】
椅子１は複数個を一纏めに組み合わせることができる。例えば図５及び図６に示されるように２つの椅子１，１’を組み合わせる場合、椅子１は、第１壁板３を有する面を他の椅子１’の枠体２’における長辺部分に配置された一方の側面板３ａ’と対向するように近接させて配置する。これによれば、前記椅子１の収納部Ｂの開口の横に椅子１’の収納部Ａ’の開口が並ぶように配置されるため、椅子１，１’の組合わせ時において、その収納部Ａ，Ａ’及び収納部Ｂ，Ｂ’を全て利用することが可能である。
【００２３】
更に、椅子１は第１壁板３と、側板５及び５とが同寸とすれば、上述したような椅子１，１’の組合わせ時に、椅子１’の収納部Ｂ’の開口の延長線に椅子１の第１壁板３が貼り出さないため、収納部Ｂ’へのアプローチが阻害されることがなく収納部Ｂ’の利用が容易である。
【００２４】
また、図５に示されるように、側面視において、隣合う椅子１，１’の収納部Ｂと収納部Ａ’の開口が片方に寄せられ、面である側板５と、収納部Ａ’及び収納部Ｂの開口との境界が明瞭となり美観に優れる。
【００２５】
続いて４つの椅子１，１，…を組み合わせる場合を例として図７を用いて説明すると、枠体２，２，…におけるそれぞれの側板５，５を端部に有する枠体の短辺と前記枠体における長辺１１０とが面一となるように組み合せるのが望ましく、これによれば、椅子１の収納部Ｂの開口の横に他の椅子１の収納部Ａの開口が並ぶように配置されるため、椅子１，１，…の組合わせ時において、全ての収納部Ａ，Ａ…と収納部Ｂ，Ｂ，…を利用することが可能である。また、椅子１，１，…は４つ組み合わせると、平面視において全体形状が略正方形となり美観に優れる更に、上述したように第１壁板３と側板５及び５とが同寸であるため、対向する椅子の開口部がそれぞれ直線上に配置されて美観に優れる。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、前記実施例における側板５，５と第２壁板４とを、１枚の鉄板を屈曲させた形状若しくは合成樹脂による金型成形などで一体に形成してもよい。
【００２８】
また、本発明に係る椅子の変形例として、図８（ａ）に示されるように、収納部Ａはその開口を長辺方向に向けて設けるようにしてもよい。また、図８（ｂ）に示されるように、枠体２の中央付近に配置された側板５の端部と第１壁板３とを板体１０によって連結することで、前後にそれぞれ開口を有した部屋状の２つの収納部（Ａ，Ｃ）を形成するようにしてもよい。
【００２９】
また、本発明に係る椅子の別の変形例として、図９（ａ）に示されるように、第１壁板３と第２壁板４との間に板体１００を設けて、３つの収納エリア（Ａ，Ｂ１，Ｂ２）を形成するようにしてもよく、この場合、板体１００により椅子１の強度を更に向上させることができる。更に、図９（ｂ）に示されるように、第１壁板３と第２壁板４との間に第１，第２壁板３，４と平行に板体１００’を設けることで３つの収納エリア（Ａ，Ｂ１’，Ｂ２’）を形成するようにしてもよい。
【符号の説明】
【００３０】
１                椅子
２                枠体
３                第１壁板
４                第２壁板
４ａ              第２壁板外面
５                側板
２０              座板
２１              底板
１５              クッション部
５０              キャスタ
【図１】
2014090860.tif 000003
【図２】
2014090860.tif 000004
【図３】
2014090860.tif 000005
【図４】
2014090860.tif 000006
【図５】
2014090860.tif 000007
【図６】
2014090860.tif 000008
【図７】
2014090860.tif 000009
【図８】
2014090860.tif 000010
【図９】
2014090860.tif 000011